(57)【特許請求の範囲】
【請求項１】
前面が開口した有底のボックス本体を有し、該開口が室内の壁面に穿設された壁穴に臨んで設けられ、該開口に配線器具取付枠が取付けられる配線用ボックスであって、
前記ボックス本体の周壁には、ケーブルが該ボックス本体内を横切って貫通可能な切欠部が形成され、該切欠部は、その内部にボックス本体の側方又は後方からケーブルをボックス本体内を横切った状態で挿入可能とする切欠開口を備えてなることを特徴とする配線用ボックス。
【請求項２】
前記ボックス本体は、一側壁に取付部が形成され、該取付部の対向側の側壁に切欠開口を備えたことを特徴とする請求項１に記載の配線用ボックス。
【請求項３】
前記切欠部は、その開口縁部に抜脱防止部が設けられたことを特徴とする請求項１又は請求項２に記載の配線用ボックス。
【発明の詳細な説明】
【０００１】
【発明の属する技術分野】
本発明は建築壁面等に取付けられ、内部にケーブルが配線される配線用ボックスに関するものである。
【０００２】
【従来の技術】
従来のこの種の配線用ボックスを図１２に示す。
図において、配線用ボックス１は取付部３において取付ネジを使用して木枠の縦桟２１に取付けられている。この配線用ボックス１にケーブル１１を配線するには、配線用ボックス１の側壁のノックアウト部１ａを打抜いた、または、予め設けられた透孔にケーブル１１を上方から挿入し、次いで、配線に必要となるケーブル１１の余長部１１ａを巻き束ねて配線用ボックス１内に納め、その後、配線用ボックス１内に収容したケーブル１１の余長部１１ａを壁表に引出してスイッチ等の配線器具に接続するようにしていた。
【０００３】
【発明が解決しようとする課題】
しかし、従来の配線用ボックス１では、ケーブル１１を内部に挿入するためにノックアウト部１ａを打抜く必要があり、手間を要した。
また、ノックアウト部１ａの打抜き後の透孔或いは予め設けられた透孔にケーブル１１をその先端部から挿入する作業が面倒であった。
更に、余長部１１ａを丸く束ねて収容する作業も同様に面倒であった。
そして、カッターを使用して穿設するときに、誤って束ねられた余長部１１ａのケーブル１１を傷付けてしまうことがあった。
【０００４】
そこで、本発明は、極めて簡単に、かつ、ケーブルを傷付けることなく、内部にケーブルを配線できる配線用ボックスの提供を課題とするものである。
【０００５】
【課題を解決するための手段】
請求項１に記載の発明は、前面が開口した有底のボックス本体を有し、該開口が室内の壁面に穿設された壁穴に臨んで設けられ、該開口に配線器具取付枠が取付けられる配線用ボックスであって、前記ボックス本体の周壁には、ケーブルが該ボックス本体内を横切って貫通可能な切欠部が形成され、該切欠部は、その内部にボックス本体の側方又は後方からケーブルをボックス本体内を横切った状態で挿入可能とする切欠開口を備えてなることを特徴とするものである。
【０００６】
請求項２に記載の発明は、請求項１に記載の配線用ボックスにおいて、ボックス本体は、一側壁に取付部が形成され、該取付部の対向側の側壁に切欠開口を備えたことを特徴とするものである。
【０００７】
請求項３に記載の発明は、請求項１又は請求項２に記載の配線用ボックスにおいて、切欠部は、その開口縁部に抜脱防止部が設けられたことを特徴とするものである。
【０００８】
【発明の実施の形態】
以下、本発明の実施例を図１乃至図３に基づいて説明する。
図において、配線器具が収容される合成樹脂製の配線用ボックス１はボックス本体２の一側壁に取付部３が設けられており、取付孔４に取付ねじが斜め方向から挿通されて木枠の縦桟２１に取付けられるようになっている。そして、前面開口５は室内の壁面２２に穿設された壁穴２３に臨むようになっており、枠取付孔６において図示しない配線器具取付枠が取付けられるようになっている。
【０００９】
更に、配線用ボックス１は取付部３の対向側の側壁７にボックス本体２内を上下方向に貫通する切欠部８が形成されており、その切欠開口８ａから側壁７を横切るようにケーブル１１を挿入できるようになっている。前記切欠部８はケーブル１１を挟持する大きさとしてもよく、或いは、切欠開口８ａを狭くすることによってケーブル１１が外方に抜脱しなければ単に挿通されるだけの大きさとしてもよい。なお、切欠部８はボックス本体２の上下の側壁にノックアウト部が形成されている場合には、それと連通して形成してもよい。また、切欠開口８ａの両縁部を丸く面取加工しておけば、ケーブル１１の挿入が容易となり、ケーブル１１の傷付きを防止することもできる。
【００１０】
次に、上記のように構成された本実施例の配線用ボックスにおけるケーブルの配線について説明する。
予め取付孔４に取付ねじを使用して縦桟２１に取付けられた配線用ボックス１にケーブル１１を配線するには、上方から配線用ボックス１の周囲にケーブル１１を垂下させ、次に、図２のように、ケーブル１１の下方を把持してボックス本体２内を横切らせるべく側壁７に対して平行な状態で切欠開口８ａから切欠部８内にケーブル１１を挿入する。挿入後は、ケーブル１１はボックス本体２内に露出した状態で上下方向に貫通することとなる。
その後、図３のように、壁穴２３の前方からボックス本体２内に貫通しているケーブル１１を掴んでその下端部をボックス本体２内に引上げつつ壁穴２３から壁表に引出し、ケーブル１１の先端部を図示しない配線器具に接続する。
以上によって、ケーブル１１の配線は完了する。
【００１１】
このように、上記実施例の配線用ボックスは、ボックス本体２の側壁７を横切るようにケーブル１１を挿入して前記ボックス本体内２を貫通させるべく、前記側壁７に切欠部８が形成されたものである。
【００１２】
したがって、ノックアウト部を打抜いた後の透孔或いは予め設けられた透孔にケーブルを先端部から挿入するといった面倒な作業を行なうことなく、側壁７に対して側方からケーブル１１を切欠開口８ａに向かって平行にずらして横切らせるだけの極めて簡単な操作で切欠部８内に挿入することができる。
また、余長部１１ａはケーブル１１を直線状態のままボックス本体２内に貫通させて保持できるから、従来のように、丸く束ねて収容するという面倒な作業も不要である。
そして、余長部１１ａは束ねた状態で収容されていないので、カッターを使用して穿設するときに、誤って余長部１１ａのケーブル１１を傷付けてしまうこともない。
【００１３】
ところで、上記実施例では、側壁７に切欠部８を形成しているが、図４に示すように、ボックス本体２の底壁９に形成しても構わない。なお、切欠部８は２個形成しているが、ケーブル１１の本数に応じて適宜数とすればよい。
但し、前記側壁７に切欠部８を形成した場合には、配線用ボックス１の側方からケーブル１１を挿入できるため、壁厚の制限を受けずに挿入することができる。
また、前記実施例では、ボックス本体２は箱状に形成されたものを示しているが、図５に示すように、周壁が円形状に形成された場合にも適用することができる。即ち、図において、周壁７ａが円形状であるボックス本体２には、これを横切ってケーブル１１が挿通されるべく周壁７ａに切欠部８が形成されており、この場合にも前記箱状のボックス本体２と同様の作用、効果が期待できる。
【００１４】
次に、本発明の別の実施例の配線用ボックスを説明する。
図６において、切欠部８にはその開口を覆う抜脱防止突片８ｂが一体に形成されており、切欠開口８ａは前記抜脱防止突片８ｂと側壁７との間に形成されている。
この実施例の場合は、ケーブル１１は斜め側方から切欠開口８ａに挿入される。特に、本実施例では、切欠部８の開口がその前方を抜脱防止突片８ｂによって塞がれているので、ケーブル１１を切欠部８内に挿入した後、ケーブル１１が外方に飛び出すのが防止され、ボックス本体２内に安定状態で収容できる。
【００１５】
また、収容後のケーブル１１の抜脱防止手段として、図７及び図８に示すように、切欠開口８ａの両縁部に切欠部８の内側に向かって突出する弾性片８ｃを形成してもよい。
この場合には、ケーブル１１が前面開口８ａから挿入されると、その押圧力によってケーブル１１は前記弾性片８ｃの弾性力に抗して切欠部８内に収容され、前記弾性片８ｃは弾性復帰してケーブル１１の飛び出しが防止される。
【００１６】
なお、これらの抜脱防止突片８ｂ及び弾性片８ｃは、請求項の抜脱防止部に相当するものであるが、本発明を実施する場合には、これらの抜脱防止手段に限定されるものではなく、ケーブル１１のボックス本体２からの飛び出しを防止できる任意の手段を用いることができる。
【００１７】
ところで、本発明の配線用ボックスによれば、図９乃至図１１に示すように、複数の配線用ボックス１が上下に並設されたときの送り配線に使用することもできる。
図において、２個の配線用ボックス１は縦桟２１に上下に並設されており、ケーブル１１は上下２個の配線ボックス１にそれぞれ形成された切欠部８に挿入して２個の配線用ボックス１内に貫通される。
そして、配線器具との接続は、図１０に示すように、各配線用ボックス１内のケーブル１１をカッター等で切断した後、図１１に示すように、切断両端部を壁表に引出して行なうことができる。
【００１８】
ここで、上側の配線用ボックス１における下側の側壁の切欠部８の切欠幅をケーブル１１の径よりも僅かに小さくしておけば、切断後の下側のケーブル１１をこの部分で挟持することもできる。
なお、ケーブル１１は配線用ボックス１内において、図９のように、束ねて収容することもできるが、束ねることなく、単に、直線状態で収容してもよい。この場合には、壁穴をカッターで穿設するときに、余長部のケーブル１１を誤って傷付けてしまうことがない。
【００１９】
【発明の効果】
以上のように、請求項１の発明の配線用ボックスは、ボックス本体の周壁面を横切るようにケーブルを挿入して前記ボックス本体内を貫通させるべく、前記周壁面に切欠部が形成されたものである。したがって、ケーブルを周壁面に側方から切欠開口に向かってずらすだけの極めて簡単な操作で切欠部内に挿入し、ボックス本体内に貫通した状態で収容することができる。また、余長部はケーブルを直線状態のままボックス本体内に貫通させて保持できるから、従来のように、丸く束ねて収容するといった面倒な作業が不要である。そして、余長部は束ねた状態で収容されていないので、カッターを使用して穿設するときに、誤って余長部のケーブルを傷付けてしまうこともない。
【００２０】
請求項２の発明の配線用ボックスは、請求項１に記載の配線用ボックスにおいて、ボックス本体の一側壁に取付部が形成され、該取付部の対向側の側壁に切欠開口を備えたものである。従って、切欠開口にケーブルを挿入する際に、取付部の存在しない側から該ケーブルを前記切欠開口に挿入できる。
【００２１】
請求項３の発明の配線用ボックスは、請求項１または請求項２に記載の切欠部の開口縁部に抜脱防止部が設けられたものである。したがって、特に、ケーブルを切欠部内に挿入後、ケーブルが外方に飛び出すのを防止でき、ボックス本体内に安定して収容できる。
【図面の簡単な説明】
【図１】本発明の実施例の配線用ボックスを示す斜視図である。
【図２】図１の切欠部内にケーブルを挿入する状態を示す正面図である。
【図３】図１の切欠部内のケーブルを壁表に引出した状態を示す正面図である。
【図４】本発明の実施例における他の配線用ボックスを示す斜視図である。
【図５】本発明の実施例における更に他の配線用ボックスを示す斜視図である。
【図６】本発明の別の実施例の配線用ボックスを示す斜視図である。
【図７】本発明の別の実施例における他の配線用ボックスを示す斜視図である。
【図８】図７の配線用ボックスを示す平面図である。
【図９】本発明の並設された配線用ボックス内にケーブルを挿入する状態を示す正面図である。
【図１０】図９の配線用ボックス内のケーブルを切断した状態を示す縦断面図である。
【図１１】図９の配線用ボックス内の切断後のケーブルを壁表に引出した状態を示す縦断面図である。
【図１２】従来の配線用ボックスにケーブルを配線した状態を示す正面図である。
【符号の説明】
１    配線用ボックス
２    ボックス本体
７    側壁
７ａ  周壁
８    切欠部
８ａ  切欠開口
８ｂ  抜脱防止突片
８ｃ  弾性片
９    底壁
１１  ケーブル
【図１】
0003785603.tif 000002
【図２】
0003785603.tif 000003
【図３】
0003785603.tif 000004
【図４】
0003785603.tif 000005
【図５】
0003785603.tif 000006
【図６】
0003785603.tif 000007
【図７】
0003785603.tif 000008
【図８】
0003785603.tif 000009
【図９】
0003785603.tif 000010
【図１０】
0003785603.tif 000011
【図１１】
0003785603.tif 000012
【図１２】
0003785603.tif 000013